【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
反射型ライトバルブで変調された変調光を投射レンズで投射する投射型表示装置であって、
光源から出射された光を偏光し、偏光光として前記反射型ライトバルブへ入射させるとともに、前記反射型ライトバルブで変調された変調光を検光するワイヤグリッドと、
前記ワイヤグリッドを装着する取付部材とを備え、
前記取付部材は、前記光源から出射された光を入射させるための第１の開口部と、前記ワイヤグリッドで偏光された前記偏光光を前記反射型ライトバルブへ入射させるための第２の開口部と、前記反射型ライトバルブで変調された前記変調光を前記投射レンズへ入射させるための第３の開口部とを有する
ことを特徴とする投射型表示装置。
【請求項２】
前記ワイヤグリッドは、前記第１の開口部に配置されることを特徴とする請求項１記載の投射型表示装置。
【請求項３】
前記取付部材の前記第２の開口部に、前記反射型ライトバルブで変調された変調光の偏光方向を補正するための波長位相板が配置されていることを特徴とする請求項１又は２記載の投射型表示装置。
【請求項４】
前記光源から出射した光を複数の色光に色分解するダイクロイックミラーと、
前記ダイクロイックミラーで色分解された各色光をそれぞれ変調する複数の前記反射型ライトバルブで変調された各色光を合成して合成光とし、その合成光を前記投射レンズに入射させる色合成光学素子とを備え、
前記取付部材は、前記ダイクロイックミラーから出射される前記各色光に対応して、前記ワイヤグリッドが前記第１の開口部にそれぞれ配置され、前記反射型ライトバルブで変調された変調光の偏光方向を補正するための波長位相板が前記第２の開口部にそれぞれ配置され、
前記色合成光学素子は、前記第３の開口部を塞ぐように前記取付部材の内部に収容されていることを特徴とする請求項１記載の投射型表示装置。
【請求項５】
前記光源から出射した光を複数の色光に色分解するダイクロイックミラーと、
前記ダイクロイックミラーで色分解された各色光がそれぞれ入射する、複数の前記取付部材と、
前記複数の取付部材にそれぞれ設けられた前記反射型ライトバルブと、
前記反射型ライトバルブで変調されて前記複数の取付部材のそれぞれの第３の開口部からそれぞれ出射される変調光を合成して合成光とし、その合成光を前記投射レンズに入射させる色合成光学素子と
を備えていることを特徴とする請求項１〜３のいずれか１項記載の投射型表示装置。
【請求項６】
前記複数の取付部材のそれぞれの前記第３の開口部に、前記反射型ライトバルブで変調された変調光を前記投射レンズに入射させるための透光部材がそれぞれ配置されていることを特徴とする請求項５記載の投射型表示装置。
【請求項７】
前記取付部材内の空気を攪拌する攪拌手段を備えていることを特徴とする請求項１〜６のいずれか１項記載の投射型表示装置。
【請求項８】
前記取付部材内の空気を冷却する冷却手段を備えていることを特徴とする請求項１〜７のいずれか１項記載の投射型表示装置。
【手続補正２】
【補正対象書類名】明細書
【補正対象項目名】０００８
【補正方法】変更
【補正の内容】
【０００８】
上記課題を解決するため請求項１記載の発明は、反射型ライトバルブで変調された変調光を投射レンズで投射する投射型表示装置であって、光源から出射された光を偏光し、偏光光として前記反射型ライトバルブへ入射させるとともに、前記反射型ライトバルブで変調された変調光を検光するワイヤグリッドと、前記ワイヤグリッドを装着する取付部材とを備え、前記取付部材は、前記光源から出射された光を入射させるための第１の開口部と、前記ワイヤグリッドで偏光された前記偏光光を前記反射型ライトバルブへ入射させるための第２の開口部と、前記反射型ライトバルブで変調された前記変調光を前記投射レンズへ入射させるための第３の開口部とを有することを特徴とする。
【手続補正３】
【補正対象書類名】明細書
【補正対象項目名】０００９
【補正方法】変更
【補正の内容】
【０００９】
請求項２記載の発明は、請求項１記載の投射型表示装置において、前記ワイヤグリッドは、前記第１の開口部に配置されることを特徴とする。
【手続補正４】
【補正対象書類名】明細書
【補正対象項目名】００１０
【補正方法】変更
【補正の内容】
【００１０】
請求項３記載の発明は、請求項１又は２記載の投射型表示装置において、前記取付部材の前記第２の開口部に、前記反射型ライトバルブで変調された変調光の偏光方向を補正するための波長位相板が配置されていることを特徴とする。
【手続補正５】
【補正対象書類名】明細書
【補正対象項目名】００１１
【補正方法】変更
【補正の内容】
【００１１】
請求項４記載の発明は、請求項１記載の投射型表示装置において、前記光源から出射した光を複数の色光に色分解するダイクロイックミラーと、前記ダイクロイックミラーで色分解された各色光をそれぞれ変調する複数の前記反射型ライトバルブで変調された各色光を合成して合成光とし、その合成光を前記投射レンズに入射させる色合成光学素子とを備え、前記取付部材は、前記ダイクロイックミラーから出射される前記各色光に対応して、前記ワイヤグリッドが前記第１の開口部にそれぞれ配置され、前記反射型ライトバルブで変調された変調光の偏光方向を補正するための波長位相板が前記第２の開口部にそれぞれ配置され、前記色合成光学素子は、前記第３の開口部を塞ぐように前記取付部材の内部に収容されていることを特徴とする。
【手続補正６】
【補正対象書類名】明細書
【補正対象項目名】００１２
【補正方法】変更
【補正の内容】
【００１２】
請求項５記載の発明は、請求項１〜３のいずれか１項記載の投射型表示装置において、前記光源から出射した光を複数の色光に色分解するダイクロイックミラーと、前記ダイクロイックミラーで色分解された各色光がそれぞれ入射する、複数の前記取付部材と、前記複数の取付部材にそれぞれ設けられた前記反射型ライトバルブと、前記反射型ライトバルブで変調されて前記複数の取付部材のそれぞれの第３の開口部からそれぞれ出射される変調光を合成して合成光とし、その合成光を前記投射レンズに入射させる色合成光学素子とを備えていることを特徴とする。
【手続補正７】
【補正対象書類名】明細書
【補正対象項目名】００１３
【補正方法】変更
【補正の内容】
【００１３】
請求項６記載の発明は、請求項５記載の投射型表示装置において、前記複数の取付部材のそれぞれの前記第３の開口部に、前記反射型ライトバルブで変調された変調光を前記投射レンズに入射させるための透光部材がそれぞれ配置されていることを特徴とする。
請求項７記載の発明は、請求項１〜６のいずれか１項記載の投射型表示装置において、前記取付部材内の空気を攪拌する攪拌手段を備えていることを特徴とする。
請求項８記載の発明は、請求項１〜７のいずれか１項記載の投射型表示装置において、前記取付部材内の空気を冷却する冷却手段を備えていることを特徴とする。
【手続補正８】
【補正対象書類名】明細書
【補正対象項目名】００２２
【補正方法】変更
【補正の内容】
【００２２】
なお、後述のように、ワイヤグリッド６Ｂ，６Ｒ，６Ｇ及び波長位相板は、クロスダイクロイックプリズム９を収容する取付部材１０の第１の窓（第２の開口部）１０Ａ、第２の窓（第１の開口部）１０Ｂにそれぞれ装着されている（図２、図３参照）。
【手続補正９】
【補正対象書類名】明細書
【補正対象項目名】００２５
【補正方法】変更
【補正の内容】
【００２５】
取付部材１０には３つの第１の窓１０Ａと３つの第２の窓１０Ｂと１つの第３の窓（第３の開口部）１０Ｃとが形成されている。第１の窓１０Ａ、第２の窓１０Ｂ及び第３の窓１０Ｃはいずれも四角形である。
【手続補正１０】
【補正対象書類名】明細書
【補正対象項目名】００４５
【補正方法】変更
【補正の内容】
【００４５】
３つの取付部材４０，５０，６０にはそれぞれ密閉空間（防塵空間）Ｓ１，Ｓ２，Ｓ３が形成される。密閉空間Ｓ１は波長位相板２４Ｂとワイヤグリッド６Ｂとガラス板１２Ｂと取付部材４０とで形成される。波長位相板２４Ｂは第１の窓（第２の開口部）４０Ａに装着され、ワイヤグリッド６Ｂは第２の窓（第１の開口部）４０Ｂに装着され、ガラス板１２Ｂは第３の窓（第３の開口部）４０Ｃに装着されている。第３の窓４０Ｃにはガラス板１２Ｂを介してクロスダイクロイックプリズム９の入射面が配置されている。
【手続補正１１】
【補正対象書類名】明細書
【補正対象項目名】００４６
【補正方法】変更
【補正の内容】
【００４６】
密閉空間Ｓ２は波長位相板２４Ｒとワイヤグリッド６Ｒとガラス板１２Ｒとホルダ（取付部材）５０とで形成される。波長位相板２４Ｒは第１の窓（第２の開口部）５０Ａに装着され、ワイヤグリッド６Ｒは第２の窓（第１の開口部）５０Ｂに装着され、ガラス板１２Ｒは第３の窓（第３の開口部）５０Ｃに装着されている。第３の窓５０Ｃにはガラス板１２Ｒを介してクロスダイクロイックプリズム９の入射面が配置されている。
【手続補正１２】
【補正対象書類名】明細書
【補正対象項目名】００４７
【補正方法】変更
【補正の内容】
【００４７】
密閉空間Ｓ３は波長位相板２４Ｇとワイヤグリッド６Ｇとガラス板１２Ｇとホルダ（取付部材）６０とで形成される。波長位相板２４Ｇは第１の窓（第２の開口部）６０Ａに装着され、ワイヤグリッド６Ｇは第２の窓（第１の開口部）６０Ｂに装着され、ガラス板１２Ｇは第３の窓（第３の開口部）６０Ｃに装着されている。第３の窓６０Ｃにはガラス板１２Ｇを介してクロスダイクロイックプリズム９の入射面が配置されている。
【手続補正１３】
【補正対象書類名】明細書
【補正対象項目名】００４８
【補正方法】変更
【補正の内容】
【００４８】
ガラス板１２Ｂ，１２Ｒ，１２Ｇとクロスダイクロイックプリズム９の入射面との間には例えばガラスブロック１３が配置されている。ガラス板１２Ｂ，１２Ｒ，１２Ｇとガラスブロック１３とで請求項６の透光部材が構成される。ガラスブロック１３に代えて防塵シートを使用しても構わない。防塵シートとして樹脂等を筒状にしたものを使用することができる。
【手続補正１４】
【補正対象書類名】明細書
【補正対象項目名】００５３
【補正方法】変更
【補正の内容】
【００５３】
６Ｂ、６Ｒ、６Ｇ：ワイヤグリッド、７Ｂ，７Ｒ，７Ｇ：反射型ライトバルブ、９：クロスダイクロイックプリズム（色合成光学素子）、１０，４０，５０，６０：取付部材（防塵部材）、１０Ａ，４０Ａ，５０Ａ，６０Ａ：第１の窓（第２の開口部）、１０Ｂ，４０Ｂ，５０Ｂ，６０Ｂ：第２の窓（第１の開口部）、１０Ｃ，４０Ｃ，５０Ｃ，６０Ｃ：第３の窓（第３の開口部）、１２Ｂ，１２Ｒ，１２Ｇ：ガラス板、１３：ガラスブロック、１５：ファン（攪拌手段）、２４Ｂ，２４Ｒ，２４Ｇ：波長位相板、Ｓ，Ｓ１，Ｓ２，Ｓ３：密閉空間（防塵空間）。